(57)【要約】      （修正有）【課題】いつでもどこでも常時消毒できる携帯可能な消毒液保持器具を提供する。【解決手段】消毒液保持チューブ１を、弾性、柔軟性、耐熱性、耐寒性、耐アルコール性を有するシリコンチューブとする事で、チューブ内に消毒液を保持し外部から指などでチューブに圧力を加えると消毒液が外部へ放出することを可能とした。消毒液放出口には、Ｔ型ニップル２を使用し、チューブ両端は水平方向に反対方向を向く二方のニップル２で連結し、チューブに垂直方向のニップル２にプラスチック製の栓を設置し消毒液放出口とし、常時携帯可能とした。【選択図】図１
0003229383.tif 000002
【実用新案登録請求の範囲】
【請求項１】
弾性、柔軟性のあるシリコンチューブで作られていることと、チューブ両端を連結した略円形の輪を作っていることと、内部に消毒液を密封でき、チューブの特定部分から消毒液の放出を可能にしていること、を備えていることを特徴とする消毒液保持容器に代わる消毒液保持チューブ
【請求項２】
物体、人体に巻き付けて携帯でき、ブレスレットやネックレスとして手首や首飾りのアクセサリーとしても用いることを可能としていることを特徴とする、請求項１に記載の消毒液保持チューブ
【考案の詳細な説明】
【技術分野】
【０００１】  本考案は、消毒液保持容器に関するものである。
【背景技術】
【０００２】  従来の消毒液保持容器は、一定の場所に置いて用いるボトル型が多く、置き場所以外で消毒が必要な時に消毒できなかった。また携帯用ボトルを使用する場合では、携帯するのを忘れることも多く、ウイルスパンデミック下の常時消毒が必要な時には対応が難しかった。
【先行技術文献】
【特許文献】
【０００３】
【特許文献１】特開２００３−２９２０９８号公報
【考案の概要】
【考案が解決しようとする課題】
【０００４】  従来の消毒液保持容器は、一定の場所に置いて用いるボトル型が多く、置き場所以外で消毒が必要な時に消毒できなかったり、また携帯用ボトルを使用する場合、携帯するのを忘れることも多い。ウイルスパンデミック下の現在、接触感染の多くが手からの感染と言われ、手の常時消毒が必須となっているが、従来の消毒液保持容器では対応が難しい。そこで、いつでもどこでも常時消毒できるような携帯できる消毒液保持チューブを提供する。
【課題を解決するための手段】
【０００５】  消毒液保持容器の代わりとなる消毒液保持チューブ（１）素材に、弾性、柔軟性があり、消毒液であるアルコールの密封保持にも耐えられる耐熱、耐寒、耐アルコール性を持つシリコンチューブを使用した。【０００６】  消毒液保持チューブ（１）の両端の連結にＴ型ニップル（２）を使用し、Ｔ型ニップル（２）の２つの水平方向に反対方向を向くニップル（２）はチューブ両端の連結に、前記水平方向ニップルから垂直方向に向くニップル（２）にはプラスチック製栓（３）を設け消毒液放出口とした。【０００７】  消毒液保持チューブ（１）の両端をＴ型ニップル（２）で連結し、消毒液保持チューブ内を密封状態にしたことで消毒液の保持を可能にしながら消毒液放出口のニップル（２）のプラスチック製の栓（３）を外し、消毒液保持チューブ（１）壁に指等で外圧を加えることで内部の消毒液を外部放出可能とした。【０００８】  消毒液保持チューブ（１）の両端を連結したことで、消毒液保持チューブの輪ができ、物体、人体に巻き付けて携帯することが可能となり、図１のようなブレスレットや図２のようなネクレスとして手首や首飾りのアクセサリーとしての使用を可能とした。
【考案の効果】
【０００９】  本考案の消毒液保持チューブ（１）は、物体、人体に巻き付けて使用が可能な為、携帯でき、図１のようにブレスレット、図２のようにネックレスとして手首や首飾りのアクセサリーとして使用することで常時携帯が可能となり、いつでもどこでも常時消毒できることで、個人の安心感が得られ経済効果に繋がり、また多くの人が使用することでウィルスパンデミックの拡大を抑える効果がある。
【図面の簡単な説明】
【０００１０】
【図１】  本考案の消毒液保持チューブのブレスレットとしての一実施例を示す正面図である。
【図２】  本考案の消毒液保持チューブのネックレスとしての一実施例を示す斜視図である。
【図３】  本考案の消毒液保持チューブの正面図である。
【図４】  本考案の消毒液保持チューブの側面図である。
【図５】  本考案の消毒液保持チューブの上面図である。
【考案を実施するための形態】
【０００１１】  図１に描かれている消毒液保持チューブ（１）の長さを、手首に取り付ける前に個人の手首の径の大きさに合わせた長さに切断し調節する。
【０００１２】  切断し各個人に合わせて長さを調整した消毒液保持チューブ（１）の片端を、垂直方向のニップル（２）にプラスチック製栓（３）を設けたＴ型ニップル（２）の水平方向に反対方向を向いた２つのニップル（２）のうちの１つに取り付け、消毒液保持チューブ（１）の片方から消毒液を流し込み消毒液保持チューブ（１）内を消毒液で満たし、消毒液保持チューブ（１）のもう片端とＴ型ニップル（２）の水平方向に反対方向を向いたもう１つのニップル（２）を繋ぎ、消毒液を密封する。
【０００１３】  消毒液保持チューブ（１）のプラスチック製の栓（３）を抜き、消毒液保持チューブ（１）に外部より指等で圧力を加えることで手のひらに消毒液を得ることができる。
【実施例】
【０００１４】  図１ないし図２は、本考案に係る消毒液保持チューブ（１）のブレスレットとネックレスとしての実施例を示す
【符号の説明】
【０００１５】  １  消毒液保持チューブ
２  Ｔ型ニップル
３  プラスチック製栓
【図１】
0003229383.tif 000003
【図２】
0003229383.tif 000004
【図３】
0003229383.tif 000005
【図４】
0003229383.tif 000006
【図５】
0003229383.tif 000007
【手続補正書】
【提出日】令和2年8月23日(2020.8.23)
【手続補正１】
【補正対象書類名】実用新案登録請求の範囲
【補正対象項目名】全文
【補正方法】変更
【補正の内容】
【実用新案登録請求の範囲】
【請求項１】
柔軟性を有するチューブと、チューブの両端を繋ぐ接続子と、前記接続子に消毒液を放出する放出口とを備えることを特徴とする消毒液保持器具
【請求項２】
前記接続子は、前記チューブの両端を繋ぐ二つの接続口と、消毒液を放出することが可能な栓を備えた一つの放出口とを備えることを特徴とする請求項１に記載の消毒液保持器具
【手続補正２】
【補正対象書類名】明細書
【補正対象項目名】全文
【補正方法】変更
【補正の内容】
【考案の詳細な説明】
【技術分野】
【０００１】  本考案は、消毒液を保持する技術に関するものである。
【背景技術】
【０００２】  従来の消毒液保持容器は、一定の場所に置いて用いるボトル型が多く、置き場所以外で消毒が必要な時に消毒できなかった。また携帯用ボトルを使用する場合では、携帯するのを忘れることも多く、ウイルスパンデミック下の常時消毒が必要な時には対応が難しかった。
【先行技術文献】
【特許文献】
【０００３】
【特許文献１】特開２００３−２９２０９８号  公報
【考案の概要】
【考案が解決しようとする課題】
【０００４】  従来の消毒液保持容器は、一定の場所に置いて用いるボトル型が多く、置き場所以外で消毒が必要な時に消毒ができなかったり、また携帯用ボトルを使用する場合、携帯するのを忘れることも多い。ウイルスパンデミック下の現在、接触感染の多くが手からの感染と言われ、手の常時消毒が必須となっているが、従来の消毒液保持容器（ボトル型）では対応が難しい。そこで、いつでもどこでも常時消毒ができる、携帯できる消毒液保持チューブ型の図３に示す消毒液保持器具を提供する。
【課題を解決するための手段】
【０００５】図３に示す消毒液保持器具の消毒液保持チューブ（１）素材に、弾性、柔軟性があり、消毒液であるアルコールの密封保持にも耐えられる耐熱、耐寒、耐アルコール性を持つシリコンチューブを使用した。【０００６】  消毒液保持チューブ（１）の両端の連結にＴ型ニップル（Ｔ字状のコネクター、又は接続子）（２）を使用し、Ｔ型ニップル（２）の２つの水平方向に反対方向を向く接続口（２）はチューブ両端の連結に、前記水平方向から垂直方向に向く接続口（２）には栓（プラスチック製）（３）を設け、消毒液放出口とした。【０００７】  消毒液保持チューブ（１）の両端をＴ型ニップル（２）で連結し、消毒液保持チューブ内を密封状態にしたことで、消毒液の保持を可能にした。また、密封可能となった消毒液保持チューブに消毒液を満たした状態で、消毒液の放出口としたニップル接続口（２）の栓（３）を外し、消毒液保持チューブ（１）に指などで外圧を加えることで内部の消毒液を外部へ放出し消毒を可能とした。【０００８】  消毒液保持チューブ（１）の両端をＴ型ニップルで連結したことで、消毒液保持チューブのリング状の輪ができ、物体、人体に巻き付けて携帯することが可能となり、図１のようなブレスレットや図２のようなネックレスとして手首や首飾りのアクセサリーとしての使用を可能とした。
【考案の効果】
【０００９】  本考案の図３に示す消毒液保持器具は、物体、人体に巻き付けて使用が可能な為、携帯でき図１のようにブレスレット、図２のようにネックレスとして手首や首飾りのアクセサリーとして使用することで常時携帯が可能となり、いつでもどこでも常時消毒ができることで、個人の安心感が得られ、経済効果に繋がり、また多くの人が使用することでウイルスパンデミックの拡大を抑える効果がある。
【図面の簡単な説明】
【００１０】
【図１】本考案の消毒液保持器具のブレスレットとしての一実施例を示す正面図である。
【図２】本考案の消毒液保持器具のネックレスとしての一実施例を示す斜視図である。
【図３】本考案の消毒液保持器具の正面図である。
【図４】本考案の消毒液保持器具の側面図である。
【図５】本考案の消毒液保持器具の上面図である。
【考案を実施するための形態】
【００１１】  図１ないし図２に描かれている、消毒液保持チューブ（シリコンチューブ）（１）の長さを、手首、首回りに取り付ける前に、個人の手首、首回りの径の大きさに合わせた長さに切断し調節する。
【００１２】  切断し各個人に合わせて長さを調整した消毒液保持チューブ（１）の片端に、垂直方向のニップル接続口（２）に栓（３）を設けたＴ型ニップル（２）の水平方向に反対方向を向いた２つのニップル接続口の一つを取り付け、消毒液保持チューブ（１）の片方から消毒液を流し込み、消毒液保持チューブ（１）内を消毒液で満たし、消毒液保持チューブ（１）のもう片端とＴ型ニップル（２）の水平方向に反対方向を向いたもう一つのニップル接続口（２）を繋ぎ消毒液を密封する。
【００１３】図１又は図２の消毒液保持器具の栓（３）を抜き、消毒液保持チューブ（１）に指などで外部から圧力を加えることで、チューブ内消毒液が消毒液放出口から外部へ放出され消毒液を得ることができる。
【実施例】
【００１４】図１に示すブレスレットと図２に示すネックレスは、本考案に係る消毒液保持器具としての実施例を示す。【００１５】図３に示す消毒液保持器具の中に消毒液を密封した状態で、前記消毒液保持器具を手首、又は首回りに掛け、図１のブレスレット、又は図２のネックレスとして使用することで、消毒液が常時携帯保持できる。【００１６】携帯した図１又は図２の消毒液保持器具の栓（３）を外し、消毒液保持チューブ（１）に指などで外部から圧力を加えることで消毒液保持器具内部の消毒液を消毒液放出口から外部へ放出することができ、消毒が可能となる。
【符号の説明】
【００１７】  １  消毒液保持チューブ（シリコンチューブ）
２  Ｔ型ニップル（Ｔ字状コネクター、又は接続子）
３  栓（プラスチック製）